(57)【要約】【課題】  便座ボックスやタンクカバー等の便器上面設備を容易に上昇させることができる便器上面設備を提供する。【解決手段】  便座ボックス２のフロントベースプレート３ａ及びカバー３ｂが浮上可能となっている。カバー３ｂの上面に把手部材５が設けられており、この把手部材５を握って該プレート３ａ及びカバー３ｂを浮上させることができる。把手部材５は、カバー３ｂの上面に設けられた凹所６内に納め込むことができる。【選択図】  図１
2005090048.tif 000002
【特許請求の範囲】
【請求項１】
洋風便器の後部上面に設置される便器上面設備であって、
該洋風便器に固定される固定メンバと、
該固定メンバに対し昇降可能に取り付けられた昇降メンバと、
を有する便器上面設備において、
該昇降メンバに、手を掛けて該昇降メンバを引き上げるための手掛部を設けたことを特徴とする便器上面設備。
【請求項２】
請求項１において、該手掛部は、該昇降メンバに沿った退避姿勢と、該昇降メンバから突出した突出姿勢とをとりうるように該昇降メンバに回動可能又は進退可能に設けられた把手部材であることを特徴とする便器上面設備。
【請求項３】
請求項２において、該把手部材は、該昇降メンバの上面に設けられていることを特徴とする便器上面設備。
【請求項４】
請求項２において、該把手部材は、該昇降メンバの両側面に設けられていることを特徴とする便器上面設備。
【請求項５】
請求項２ないし４のいずれか１項において、該把手部材を突出姿勢としたときに作動する安全スイッチを備えたことを特徴とする便器上面設備。
【請求項６】
請求項１ないし５のいずれか１項において、
前記昇降メンバの固定メンバからの浮上を阻止するストッパ手段が設けられており、
該ストッパ手段による昇降メンバの浮上阻止状態を解除する解除手段を備えたことを特徴とする便器上面設備。
【請求項７】
請求項６において、前記手掛部は、該昇降メンバに沿った退避姿勢と、該昇降メンバから突出した突出姿勢とをとりうるように該昇降メンバに回動可能又は進退可能に設けられた把手部材であり、
該把手部材を突出姿勢としたときに前記ストッパ手段による昇降メンバの浮上阻止状態が解除されることを特徴とする便器上面設備。
【請求項８】
請求項６又は７において、前記ストッパ手段による昇降メンバの浮上阻止状態が解除された場合に、該昇降メンバを前記固定メンバから浮上させる浮上手段を備えたことを特徴とする便器上面設備。
【発明の詳細な説明】
【技術分野】
【０００１】
本発明は、洋風便器の後部上面に設置される便座ボックス、タンクカバー等の便器上面設備に係り、特に昇降式の便器上面設備に関する。
【背景技術】
【０００２】
洋風便器の上面に設置された便座は、便座ボックスあるいはタンクカバーなどの部材を介して洋風便器に対し俯仰方向に回動可能に取り付けられている。
【０００３】
この便座ボックス等と洋風便器上面との間に尿などの汚れが染み込んで臭気の原因となり易い。そこで、便座ボックスを洋風便器に対し上下動可能とし、洋風便器の清掃時に便座ボックスを便座と共に上方に移動（浮上）させるようにしたものが提案されている。
【０００４】
例えば、特開２００２−４３８３号公報には、前部を含む上側部分を昇降可能とした便座ボックスが記載されている。また、特開２００２−２４２２７３号公報には、昇降可能なタンクカバーが記載されている。
【特許文献１】特開２００２−４３８３号公報
【特許文献２】特開２００２−２４２２７３号公報
【発明の開示】
【発明が解決しようとする課題】
【０００５】
上記従来の便器上面設備では、便座ボックスあるいはタンクカバーの外面には、昇降時に手を掛ける部分が無い。
【０００６】
本発明は、手掛部を有し、それ故に極めて容易に上昇（浮上）動作させることができる便器上面設備を提供することを目的とする。
【課題を解決するための手段】
【０００７】
本発明の便器上面設備は、洋風便器の後部上面に設置される便器上面設備であって、該洋風便器に固定される固定メンバと、該固定メンバに対し昇降可能に取り付けられた昇降メンバと、を有する便器上面設備において、該昇降メンバに、手を掛けて該昇降メンバを引き上げるための手掛部を設けたことを特徴とするものである。
【０００８】
かかる本発明の便器上面設備にあっては、手掛部に指などを掛けて昇降メンバを容易に上昇させることができる。
【０００９】
本発明の一態様にあっては、手掛部は、該昇降メンバに沿った退避姿勢と、該昇降メンバから突出した突出姿勢とをとりうるように該昇降メンバに回動可能又は進退可能に設けられた把手部材である。この態様にあっては、把手部材を必要時に突出させて使用し、不要時には昇降メンバに沿うように退避させておくので、不要時に邪魔にならない。
【００１０】
この把手部材を突出姿勢としたときに作動する安全スイッチが設けられてもよい。
【００１１】
この把手部材は、昇降メンバの上面に設けられてもよい。このようにすれば、昇降メンバを片手で容易に上昇させることができる。
【００１２】
また、把手部材は、昇降メンバの両側面に設けられてもよい。このようにすれば、両側から昇降メンバを支えて引き上げることができるので、非力な人でも楽に昇降メンバを上昇させることができる。
【００１３】
本発明の一態様では、便器上面設備は、昇降メンバの固定メンバからの浮上を阻止するストッパ手段が設けられており、該ストッパ手段による昇降メンバの浮上阻止状態を解除する解除手段を備えている。
【００１４】
このように構成した場合、解除手段を操作してストッパ手段による該昇降メンバの浮上阻止状態を解除しない限り、昇降メンバが固定メンバから浮上しないため、不用意に昇降メンバが固定メンバから浮上することが防止される。
【００１５】
この場合、手掛部は、該昇降メンバに沿った退避姿勢と、該昇降メンバから突出した突出姿勢とをとりうるように該昇降メンバに回動可能又は進退可能に設けられた把手部材であり、該把手部材を突出姿勢としたときに前記ストッパ手段による昇降メンバの浮上阻止状態が解除されるよう構成されることが好ましい。
【００１６】
このように構成した場合、把手部材を突出姿勢とすることにより、ストッパによる昇降メンバの浮上阻止状態が解除されるため、この解除操作を簡単に行うことができる。また、この解除操作の後、把手部材に手を掛けたまま昇降メンバの引き上げ動作に移行することができるので、合理的である。
【００１７】
本態様においては、ストッパ手段による昇降メンバの浮上阻止状態が解除された場合に、該昇降メンバを前記固定メンバから浮上させる浮上手段を備えてもよい。この場合、ストッパ手段による該昇降メンバの浮上阻止状態を解除するだけで昇降メンバが固定メンバから浮上するようになるため、きわめて便利である。
【発明の効果】
【００１８】
本発明によると、便座ボックスやタンクカバー等の便器上面設備を容易に上昇させることが可能となる。
【発明を実施するための最良の形態】
【００１９】
以下、図面を参照して実施の形態について説明する。図１は実施の形態に係る便器上面設備の斜視図であり、（ａ）図は把手部材を倒した状態を示し、（ｂ）図は把手部材を起した状態を示す。図２は図１の便器設備の側面図であり、（ａ）図は便座ボックスの浮上前、（ｂ）図は便座ボックスの浮上後の状態を示している。図３は浮上ユニットの斜視図である。
【００２０】
陶器製の洋風便器本体１の後部上面に便座ボックス２が昇降可能に設置されており、この便座ボックス２に便座２ａ及び便蓋２ｂが起倒方向回動可能に取り付けられている。
【００２１】
この実施の形態では、便座ボックス２は、前部に配置された昇降可能なフロントベースプレート３ａと、無底箱状の合成樹脂製のカバー３ｂとによって外殻が形成されている。図示は省略するが、このフロントベースプレート３ａに、人体臀部を温水で洗浄するための温水洗浄ノズル及びモータ駆動式温水切替弁装置が設置されている。また、このフロントベースプレート３ａの底面には、便座ボックス２が浮上したときにその下側領域Ｓを照らすための照明３ｃが設けられている。この照明３ｃとしてはＬＥＤが好適であるが、これに限定されない。
【００２２】
また、このフロントベースプレート３ａ上には、便座２ａ及び便蓋２ｂを開閉させる電動開閉ユニット、人体臀部に向けて温風を吹き出してその乾燥を行う温風ファン、便鉢内から臭気を含んだ空気を吸引して脱臭する脱臭ファン及び脱臭カートリッジが設けられている。カバー３ｂには、便器本体１に近づいたり着座した人体を検知するための人体検知センサが設けられている。
【００２３】
便器本体１の最後部上面には、カバー３ｂの後部側が上方から被さるようにリアベースプレート４ａが設けられている。このリアベースプレート４ａには、前記温水洗浄ノズルへ温水を供給するためのヒータ付き温水タンク４ｂ（図２にのみ図示）、便座ボックス２を押し上げたり、降下させたりする際の動きを緩衝させるための浮上ユニット１０のほか、図示はしないがヒータ及び電動ファンよりなる部屋暖房ファン、電源基板、制御回路基板、便鉢やトラップ部へ水を供給するためのバルブユニット等が設けられている。
【００２４】
この浮上ユニット１０は、図３に示す通り、ロータリダンパ１１と、該ロータリダンパ１１の回転軸に固着されたピニオン１２と、該ピニオン１２が噛合したラック１３とを有する。ロータリダンパ１１は、フロントベースプレート３ａに固着されている。リアベースプレート４ａからは浮上ユニット１０のフレーム１４が立設され、該フレーム１４にラック１３が固設されている。なお、図示はしないが、このフレーム１４には上下方向に延在した１対のレールが設けられており、フロントベースプレート３ａに設けられたスライダが該レールに沿って移動可能とされている。
【００２５】
この実施の形態では、リアベースプレート４ａが固定メンバであり、フロントベースプレート３ａ及びカバー３ｂが昇降メンバである。
【００２６】
この実施の形態では、このカバー３ｂの上面に手掛部として把手部材５が設けられている。この把手部材５は、１対の脚部５ａを有した略コ字形状であり、各脚部５ａ，５ａの基端部が支軸（図示略）によりカバー３ｂに回動可能に取り付けられている。
【００２７】
カバー３ｂの上面には、この把手部材５が収容されるコ字形状の凹所６が設けられている。把手部材５を倒すと、把手部材５は凹所６内にほぼすっぽりと納まり、把手部材５を起立させると、該把手部材がカバー３ｂの上面から上方に突出する。
【００２８】
図１（ｂ）のように、把手部材５を倒した状態とし、この把手部材５に手を掛けて引き上げることにより、フロントベースプレート３ａ及びカバー３ｂが上昇する。また、便座照明３ｇが点灯する。これにより、浮上した便座支持部材２の前部の下側スペース（下側領域）Ｓが照明される。このように下側領域Ｓが明るく照らされるので、該下側領域Ｓに臨む便器本体１の上面や、フロントベースプレート３ａの下面等を容易に清掃することができる。
【００２９】
なお、図示はしないが、浮上ユニット１０には、上昇したフロントベースプレート３ａを軽くラッチするラッチ片及びラッチバネが設けられており、把手部材５から手を離してもフロントベースプレート３ａが下降することはない。
【００３０】
カバー３ｂを下向きにやや力を込めて押すと、このラッチが解除され、該カバー３ｂ及びフロントベースプレート３ａが下降する。フロントベースプレート３ａ及びカバー３ｂが下降した後、把手部材５を倒すことにより、図１（ａ）の状態に復帰する。
【００３１】
このように、この実施の形態では把手部材５を設けているので、便座ボックス２のフロントベースプレート３ａ及びカバー３ｂを容易に浮上させることができる。この実施の形態では、把手部材５をカバー３ｂの上面に設けているので、片手で容易に浮上操作することができる。また、把手部材５は、普段は倒して凹所６内に収容しておくことができ、カバー３ｂ上に無用な突出部が存在しない。
【００３２】
図４，５を参照してそれぞれ別の実施の形態について説明する。
【００３３】
図４では、把手部材５をカバー３ｂの左右両側面に設けている。カバー３ｂの左右両側面には、把手部材５を収容する凹所７が設けられている。把手部材５は、その脚部の基端側がカバー３ｂに回動可能に取り付けられており、図４の矢印θのように約９０°回動して側方に張り出した姿勢を採り得るようになっている。
【００３４】
この図４の実施の形態によれば、左右両側面に把手部材５が設けられているので、カバー３ｂを左右から抱えるようにして容易に浮上させることができる。
【００３５】
また、この把手部材５をカバー３ｂの左右の側面に設けたことにより、便器使用者からはこの把手部材５が目立たず、見栄えがよい。
【００３６】
図５の実施の形態にあっては、カバー３ｂの左右両側面に手掛部として突起８が設けられている。この突起８に掌又は指を掛けてカバー３ｂを容易に浮上させることができる。なお、突起の形状は図示のものに限定されない。
【００３７】
図５では、突起８が設けられているが、指を差し込むことができる程度の凹部を設けてもよい。凹部の代りに段差を設けてもよい。この段差は、少なくとも２ｍｍ程度存在することが望ましい。ただし、段差が過度に大きいと、美観を損なうおそれがあるので、段差は２〜３０ｍｍ特に３〜１０ｍｍ程度であることが好ましい。段差面は、カバー３ｂの側面に略直角であってもよく、斜交していてもよい。
【００３８】
以下、図６〜８を参照して本発明の別の実施の形態について説明する。
【００３９】
図６（ａ）は本発明の別の実施の形態に係る便器上面設備の便座ボックス浮上時における透視斜視図であり、図６（ｂ）はこのときの浮上ユニット及びストッパの斜視図である。図７は図６（ｂ）と反対側から見た浮上ユニット及びストッパの斜視図である。また、図８（ａ）は便座ボックス浮上阻止時における浮上ユニット及びストッパの斜視図であり、図８（ｂ），（ｃ）は、それぞれ便座ボックス浮上阻止時及び阻止解除時における浮上ユニット及びストッパの側面図である。
【００４０】
この実施の形態でも、図６（ａ）に示すように、陶器製の洋風便器本体１の後部上面に便座ボックス２が昇降可能に設置されている。この便座ボックス２は、前述の図１〜３の便座ボックスと同様、前部に配置された昇降可能なフロントベースプレート３ａと、無底箱状の合成樹脂製のカバー３ｂとによって外殻が形成されている。
【００４１】
また、便器本体１の最後部上面には、カバー３ｂの後部側が上方から被さるようにリアベースプレート（図６（ａ）では図示略。）が設けられており、このリアベースプレートから、便座ボックス２を押し上げたり、降下させたりする際の動きを緩衝させるための浮上ユニット１０Ａのフレーム１４Ａが立設されている。この実施の形態では、該浮上ユニット１０Ａに、便座ボックス２の浮上を阻止するストッパ１６が設けられている。
【００４２】
この浮上ユニット１０Ａは、図７に示す通り、前述の図１〜３の浮上ユニットと同様、ロータリダンパ１１と、該ロータリダンパ１１の回転軸に固着されたピニオン１２と、該ピニオン１２が噛合したラック１３と、前記フレーム１４Ａとを有する。ロータリダンパ１１は、フロントベースプレート３ａに固着されており、リアベースプレートから立設されたフレーム１４Ａにラック１３が固設されている。符号１４ａはこのフレーム１４Ａをリアベースプレートに固定するためのブラケットを示し、符号１４ｂは、このフロントベースプレート１４Ａの転倒防止用の足片を示している。この足片１４ｂは、該フレーム１４Ａの基端部から洋風便器1の後部上面に沿って前方に延出している。
【００４３】
このフレーム１４Ａには上下方向に延在した１対のレール状のガイド本体１４ｃ，１４ｃが設けられており、フロントベースプレート３ａに設けられたスライダ３ｄが該ガイド本体１４ｃ，１４ｃに沿って上下方向に移動可能とされている。このスライダ３ｄに、前記ストッパ１６が取り付けられている。
【００４４】
この実施の形態でも、リアベースプレートが固定メンバであり、フロントベースプレート３ａ及びカバー３ｂが昇降メンバである。また、スライド３ｂとガイド本体１４ｃ，１４ｃとが該昇降メンバの昇降を案内する。
【００４５】
ストッパ１６は、この実施の形態では、バネ鋼等の弾性材料よりなる細長い板バネ状部材である。このストッパ１６は、図８に示すように、上下方向に延在し且つスライダ３ｄから上方に延出するように配置され、下端側が該スライダ３ｄの前面に固着されている。
【００４６】
この実施の形態では、ストッパ１６は略クランク形に折曲した側面視形状のものである。即ち、このストッパ１６の長手方向の途中部分には、該ストッパ１６の板面から略直角に後方に向って突出する突出部１６ａが設けられている。
【００４７】
前記ガイド本体１４ｃ，１４ｃは、この実施の形態ではスライダ３ｄの左右両サイドに設けられており、該スライダ３ｄの左右両側部が該ガイド本体１４ｃ，１４ｃに係合している。これらのガイド本体１４ｃ，１４ｃの上端部同士を跨ぐようにして架材１４ｄが架設されている。突出部１６ａは、図８（ｂ）に示すように、フロントベースプレート３ａが下降限に配置されているときに、下方からこの架材１４ｄに当接する。このとき、ストッパ１６の該突出部１６ａよりも上端側は、該架材１４ｄよりも上位となる高さまで延在している。
【００４８】
このように、フロントベースプレート３ａが下降限にあるときにストッパ１６の突出部１６ａが架材１４ｄに下方から当接することにより、スライダ３ｄがガイド本体１４ｃに沿って上方へ移動することが阻止され、これにより、フロントベースプレート３ａの浮上が阻止される。
【００４９】
この実施の形態では、カバー３ｂの上面に、手掛部と、このストッパ１６によるフロントベースプレート３ａの浮上阻止状態を解除操作するための操作手段とを兼ねる把手部材５Ａが設けられている。この把手部材５Ａも、前述の図１〜３の把手部材と同様、１対の脚部５ａを有した略コ字形状である。各脚部５ａ，５ａの基端部同士の間には支軸５ｂが架設されており、この支軸５ｂにより、各脚部５ａ，５ａの基端部がカバー３ｂに回動可能に取り付けられている。この実施の形態では、該支軸５ｂの長手方向の途中部分に、把手部材５Ａが回動されたときにこれと一体に回動するカム１８が設けられている。このカム１８は、浮上ユニット１０Ａのフレーム１４Ａの上方に配置されている。
【００５０】
この実施の形態でも、カバー３ｂの上面には、この把手部材５Ａが収容されるコ字形状の凹所６が設けられており、把手部材５Ａを前方に倒すと、把手部材５は凹所６内にほぼすっぽりと納まり、把手部材５を約９０°後方に回動させて起立させると、該把手部材５がカバー３ｂの上面から上方に突出する。
【００５１】
このカム１８は、把手部材５Ａが凹所６内に倒れているときには、図８（ｂ）に示すようにカム面１８ａが支軸５ｂから下方に垂下した姿勢となり、把手部材５Ａが起立したときには、図８（ｃ）に示すように、カム面１８ａがストッパ１６の上端側の板面に当接して該ストッパ１６の上端側を前方に押圧した姿勢となるように配置されている。
【００５２】
このようにストッパ１６の上端側が該カム面１８ａによって前方に押圧されることにより、図８（ｃ）の通り、該ストッパ１６が前方に撓んで突出部１６ａが架材１４ｄから外れ、スライダ３ｄがガイド本体１４ｃに沿って上方へ移動することが許容されるようになる。なお、フロントベースプレート３ａが下降限に位置している状態で把手部材５Ａが凹所６内に倒されると、カム面１６ａによるストッパ１６上端側の押圧が解除され、図８（ｂ）の如くストッパ１６が弾性的に元形状に復帰して突出部１６ａが架材１４ｄの下側に係合するようになる。
【００５３】
この便器上面設備のその他の構成は前述の図１〜３の便器上面設備と同様となっている。
【００５４】
便座ボックス２を浮上させるに当っては、まず、図６（ａ）のように把手部材５を凹所６から引き起す。これにより、図８（ｃ）のようにストッパ１６によるフロントベースプレート３ａの浮上阻止状態が解除される。次いで、この把手部材５Ａに手を掛けて引き上げることにより、フロントベースプレート３ａ及びカバー３ｂが上昇する。
【００５５】
なお、図示はしないが、浮上ユニット１０Ａには、上昇したフロントベースプレート３ａを軽くラッチするラッチ片及びラッチバネが設けられており、把手部材５Ａから手を離してもフロントベースプレート３ａが下降することはない。
【００５６】
カバー３ｂを下向きにやや力を込めて押すと、このラッチが解除され、該カバー３ｂ及びフロントベースプレート３ａが下降する。フロントベースプレート３ａ及びカバー３ｂが下降した後、把手部材５Ａを倒すことにより、図８（ｂ）の通りストッパ１６によってフロントベースプレート３ａの浮上が阻止されるようになる。
【００５７】
この実施の形態では、把手部材５Ａを凹所６から引き起こしてストッパ１６によるフロントベースプレート３ａの浮上阻止状態を解除しない限り該フロントベースプレート３ａが洋風便器１の後部上面から浮上しないため、不用意にフロントベースプレート３ａが浮上することを防止することができる。
【００５８】
この実施の形態では、把手部材５Ａを凹所６から引き起こすことにより、ストッパ１６によるフロントベースプレート３ａの浮上阻止状態が解除されるため、この解除操作が簡単である。また、この解除操作の後、把手部材５Ａに手を掛けたままフロントベースプレート３ａ（カバー３ｂ）の引き上げ動作に移行することができるので、合理的である。
【００５９】
なお、この実施の形態では、ガイド本体１４ｃ，１４ｃに係合したスライダ３ｄにストッパ１６が設けられており、このストッパ１６によって該スライダ３ｄの上方移動が阻止されることによりフロントベースプレート３ａの浮上が阻止される構成となっているので、該フロントベースプレート３ａ及びカバー３ｂの浮上を確実に阻止することができる。
【００６０】
これらのスライダ３ｄ及びガイド本体１４ｃ，１４ｃは、それ自体が精度良く構成されているため、フロントベースプレート３ａが下降した場合には確実にストッパ１６が架材１４ｄに係合するようになる。このようにスライダ３ｄ及びガイド本体１４ｃ，１４ｃからなるガイド装置にストッパ１６を設けたことにより、これら以外のフロントベースプレート３ａ及びカバー３ｂ（昇降メンバ）やリアベースプレート（固定メンバ）等の寸法精度、組立精度を緩和することができる。
【００６１】
また、この実施の形態では、該ストッパ１６は、長手方向の途中部分に突出部１６ａが設けられた板バネ状部材であり、構造が極めて簡易である。
【００６２】
この実施の形態でも把手部材５Ａがカバー３ｂの上面に設けられているので、フロントベースプレート３ａの浮上阻止状態解除操作と、フロントベースプレート３ａの引き上げ操作とを片手で容易に行うことができる。また、この把手部材５Ａは、普段は倒して凹所６内に収容しておくことができ、カバー３ｂ上に無用な突出部が存在しない。
【００６３】
この実施の形態では、把手部材５Ａを凹所６から引き起こすことにより、ストッパ１６によるフロントベースプレート３ａの浮上阻止状態が解除されるよう構成されているが、把手部材とは別に、ストッパによるフロントベースプレートの浮上阻止状態を解除するための操作手段が設けられてもよい。
【００６４】
フロントベースプレートの浮上を阻止するストッパの構成は、上記の図６〜８の構成に限定されるものではなく、例えば、キー等を用いてフロントベースプレートの浮上を阻止するよう構成してもよい。
【００６５】
本発明では、このようなストッパによるフロントベースプレートの浮上阻止状態が解除されたときに、自動的にフロントベースプレートを浮上させる浮上機構が設けられてもよい。この浮上機構の構成は特に限定されるものではなく、例えば、フロントベースプレートを上方に付勢するバネ機構や、油圧シリンダ機構、電動モータ等の駆動力によりピニオンを回転駆動させるラックアンドピニオン機構など種々の機構を採用することができる。
【００６６】
なお、図１〜４及び図６〜８の各実施の形態では把手部材５，５Ａは回動して突出・退避するよう構成されているが、直線的に移動して突出・退避するよう構成されてもよい。
【００６７】
また、このように把手部材を突出・退避するよう構成した場合、把手部材を突出させると安全スイッチを作動させ、便座ボックス内の温水ヒータ、温風ファン、脱臭ファン等の電気機器への通電を停止するよう構成してもよい。
【００６８】
上記実施の形態では便器上面設備は便座ボックスであるが、タンクカバーであってもよい。便座ボックスやタンクカバーの形状、大きさは特に限定されるものではない。便座ボックスやタンクカバーは、前部のみが昇降するものであってもよく、前部から後部も含めて昇降するものであってもよい。
【図面の簡単な説明】
【００６９】
【図１】実施の形態に係る便器上面設備を備えた洋風便器の斜視図である。
【図２】図１の洋風便器の斜視図である。
【図３】浮上ユニットの斜視図である。
【図４】別の実施の形態を示す斜視図である。
【図５】さらに別の実施の形態を示す斜視図である。
【図６】異なる実施の形態に係る便器上面設備の浮上ユニットの斜視図である。
【図７】図６と反対側から見た斜視図である。
【図８】図６の便器上面設備のストッパの構成図である。
【符号の説明】
【００７０】
２  便座ボックス
３ａ  フロントベースプレート
３ｂ  カバー
３ｄ  スライダ
４ａ  リアベースプレート
５，５Ａ  把手部材
６，７  凹所
８  突起
１０，１０Ａ  浮上ユニット
１４，１４Ａ  フレーム
１４ｃ  ガイド本体
１６  ストッパ
１６ａ  突出部
１８  カム
【図１】
2005090048.tif 000003
【図２】
2005090048.tif 000004
【図３】
2005090048.tif 000005
【図４】
2005090048.tif 000006
【図５】
2005090048.tif 000007
【図６】
2005090048.tif 000008
【図７】
2005090048.tif 000009
【図８】
2005090048.tif 000010